(57)【要約】【課題】軸筒１に螺旋溝１Ａを簡単に加工でき、かつ、組立性も向上し、低コストで生産できる棒状部材繰出装置を提供する。【解決手段】軸筒１に、後部周面に螺旋溝１Ａを形成するとともに長手方向に伸びた切溝１Ｂを形成する。また、棒状部材を保持するための保持部２Ｄを有する棒状部材保持具２を、軸筒１に対して長手方向には摺動可能であるが回動不可能に構成する。更に、内面に突部５Ｂを形成した操作部材５を棒状部材保持具２に対して回動は可能であるが長手方向には連動して移動するように構成する。この操作部材５の突部５Ｂが軸筒１の螺旋溝１Ａに係合し、操作部材５を回動することにより、棒状部材を前進させる。【選択図】          図１
2004195669.tif 000002
【特許請求の範囲】
【請求項１】
後部周面に螺旋溝を形成するとともに長手方向に伸びた切溝を形成した軸筒と、棒状部材を保持するための保持部を有するとともに軸筒に対して長手方向には摺動可能であるが回動不可能な棒状部材保持具と、内面に突部を形成するとともに棒状部材保持具に対して回動は可能であるが長手方向には連動して移動する操作部材からなり、操作部材の突部が軸筒の螺旋溝に係合し、操作部材を回動することにより、操作部材及び棒状部材保持具が軸筒に対して前進することを特徴とする棒状部材繰出装置。
【発明の詳細な説明】
【０００１】
【発明の属する技術分野】
本発明は、鉛筆の黒芯や色芯、クレヨン、消しゴム、化粧品の口紅やアイブロー等の棒状部材繰出装置に関するものである。
【０００２】
【従来の技術】
従来、この種の棒状部材繰出装置としては、軸筒（先軸）に螺旋溝が形成され、かつ、内筒（中軸）にスリットが形成され、棒状部材を保持する保持部材（スライダ）の突起がスリットを挿通して軸筒の螺旋溝に係合して構成されていた（例えば、特許文献１参照。）。
【０００３】
【特許文献１】
特開平１０−２１１０２１号公報（図１）
【０００４】
【発明が解決しようとする課題】
従って、従来の棒状部材繰出装置は、軸筒の内面に螺旋溝を形成する加工が難しく、コスト高になるとともに組立性も非常に困難であった。
【０００５】
本発明は、上記課題を解消する棒状部材繰出装置を提供することを目的とするものである。
【０００６】
【課題を解決するための手段】
本発明は、後部周面に螺旋溝を形成するとともに長手方向に伸びた切溝を形成した軸筒と、棒状部材を保持するための保持部を有するとともに軸筒に対して長手方向には摺動可能であるが回動不可能な棒状部材保持具と、内面に突部を形成するとともに棒状部材保持具に対して回動は可能であるが長手方向には連動して移動する操作部材からなり、操作部材の突部が軸筒の螺旋溝に係合し、操作部材を回動することにより、操作部材及び棒状部材保持具が軸筒に対して前進するものである。
【０００７】
【実施例】
以下、図１、図２、図３及び図４に基づいて本発明の棒状部材繰出装置を説明する。尚、図１の左側を前方とし、右側を後方とする。また、棒状部材としては、ゲル形成物質、着色材及び溶剤として水を多く含んだ固形描画材で説明する。軸筒１の後部周面に後端より連通した螺旋溝１Ａを形成し、かつ、螺旋溝１Ａを横切って長手方向に伸びた切溝１Ｂを形成する。この切溝１Ｂの後部は、後述する隆起部２Ａの抜けを防ぐために幅が狭くなった係止部１Ｃを形成するとともに、更に、係止部１Ｃの後端部はテーパー状となって隆起部２Ａが挿入し易い形状とする。軸筒１の前部係止部１Ｄにはキャップ３が着脱可能に取り付けられるが、最初はキャップ３の天部内面３Ａが軸筒１の前端に密着するように、キャップ３の第１係止部３Ｂを軸筒１の前部係止部１Ｄに取り付ける。
【０００８】
棒状部材保持具２は、前部内面に長手方向に伸びたリブ２Ｂが複数形成されるとともに、中心部が開口した内鍔２Ｃが形成され、固形描画材４を保持するための保持部２Ｄが形成される。また、棒状部材保持具２の後部には隆起部２Ａが形成され、この隆起部２Ａの中間部に切欠部２Ｅを形成する。
【０００９】
リング状の操作部材５の内面には、円周状に伸びた突条部５Ａを形成するとともに、この突条部５Ａの内面の略半周に突部５Ｂを形成する。この突部５Ｂは前記軸筒１の螺旋溝１Ａと係合できるように傾斜して形成される。
【００１０】
前記棒状部材保持具２の隆起部２Ａに操作部材５を外嵌し、操作部材５の突条部５Ａを隆起部２Ａの切欠部２Ｅに係合することにより、棒状部材保持具２に対して操作部材５を回動可能に取り付ける。この棒状部材保持具２を軸筒１の後端より挿入し、棒状部材保持具２の前部外周を軸筒１の内面に長手方向に摺動可能に密接させるとともに、隆起部２Ａを軸筒１の切溝１Ｂに摺動可能に挿入する。この時、隆起部２Ａは軸筒１の係止部１Ｃによって切溝１Ｂからの外れが防止される。また、操作部材５の突部５Ｂは軸筒１の後端より挿入されて螺旋溝１Ａに係合される。
【００１１】
そして、軸筒１の後端、棒状部材保持具２の後端及び操作部材５の後端を一致させた状態で軸筒１の前端を下に向け、棒状部材保持具２の内鍔２Ｃ内を通って、８０℃程度の高温によって溶融された液状物を軸筒１内に流し込む。この時、軸筒１の前端にキャップ３の天部内面３Ａが密着されているので、液状物が軸筒１の前端より流れ出る恐れはない。この液状物は常温に冷やされることによって固体となり固形描画材４が形成される。この固形描画材４の後部が棒状部材保持具２の保持部２Ｄに保持される。更に、固形描画材４の乾燥を防ぐために、固形描画材４の後端部に密栓６を流し込む。この密栓６はポリブデン、シリコンオイル等の乾燥防止用オイルから形成される。
【００１２】
次に、前記固形描画材４を繰り出す操作を説明する。先ず、軸筒１の前部係止部１Ｄに取り付けられたキャップ３を外す。その後、操作部材５を正方向に回動させると、軸筒１に形成された螺旋溝１Ａに沿って突部５Ｂが摺動し、操作部材５が正方向に回動しながら前進する。すると、操作部材５の突条部５Ａが棒状部材保持具２の切欠部２Ｅに係合しているので、棒状部材保持具２の隆起部２Ａが軸筒１の切溝１Ｂに沿って前進する。従って、棒状部材保持具２とともに固形描画材４が前進する。
【００１３】
また、固形描画材４が軸筒１の前端より出すぎた場合には、操作部材５を逆方向に回動させると、操作部材５の突部５Ｂが軸筒１の螺旋溝１Ａに沿って摺動し、棒状部材保持具２及び固形描画材４が後退する。そして、描画が終了した場合には、軸筒１にキャップ３を取り付けるが、今度はキャップ３の天部内面３Ａと軸筒１の前端が適宜離間するように、キャップ３の第２係止部３Ｃを軸筒１の前部係止部１Ｄに取り付ける。
【００１４】
尚、本発明は上記実施例に限定されるものではなく、軸筒、棒状部材保持具及び操作部材を、それぞれ２個以上の部品を螺合、圧入、接着等によって一体化することも可能である。
【００１５】
また、上記実施例は棒状部材として固形描画材で説明したが、棒状部材としては、その他に鉛筆の黒芯や色芯、クレヨン、消しゴム、化粧品の口紅やアイブロー等種々の棒状部材が利用可能である。
【００１６】
【発明の効果】
以上詳述したように本発明によれば、軸筒の後部周面に螺旋溝を形成するとともに長手方向に伸びた切溝を形成することにより、軸筒の加工が簡単になるとともに組立性も向上し、コストが各段に下げられる効果が奏せられるものである。
【図面の簡単な説明】
【図１】本発明の棒状部材繰出装置を示す断面図である。
【図２】図１のＡ−Ａ線を示す断面図である。
【図３】図１のＢ−Ｂ線を示す断面図である。
【図４】本発明の棒状部材繰出装置を示す平面図である。
【符号の説明】
１  軸筒
１Ａ  軸筒１の螺旋溝
１Ｂ  軸筒１の切溝
２  棒状部材保持具
２Ｄ  棒状部材保持具２の保持部
５  操作部材
５Ｂ  操作部材５の突部
【図１】
2004195669.tif 000003
【図２】
2004195669.tif 000004
【図３】
2004195669.tif 000005
【図４】
2004195669.tif 000006